(57)【特許請求の範囲】
【請求項１】
始動口への遊技球の入球に起因して抽出した乱数値によって遊技者にとって有利な特別遊技状態を発生させるか否かを抽選する主制御装置と、
前記主制御装置から受信する前記抽選の結果に基づく変動パターン信号と図柄指定信号とに応じて複数の演出図柄の変動表示を行い該変動表示後に確定表示する演出図柄の組合せによって前記特別遊技状態の生起を報知するサブ制御装置と、
を備えた弾球遊技機において、
前記主制御装置に
前記抽選を未実施の乱数値を保留記憶として所定の上限数まで記憶する保留記憶手段と、
該保留記憶手段の保留記憶数更新に基づく保留記憶数指示コマンドを前記サブ制御装置に送信する保留記憶数送信手段と、
前記保留記憶手段に記憶された乱数値が、特定の値であるか否か及び前記抽選の結果となる図柄の種類を前記抽選の実施以前に判定する先読み判定手段と、
該先読み判定手段による判定結果を含む先読み判定信号を、前記サブ制御装置に送信する先読み判定信号送信手段と、
前記抽選の結果に応じて図柄の種類を選択する図柄選択手段と、図柄の変動パターンを選択する変動パターン選択手段と、
前記図柄選択手段によって選択された図柄の種類と、前記変動パターン選択手段によって選択された図柄の変動パターンとを指定する変動指示信号を前記サブ制御装置に送信する変動指示信号送信手段と、
を備え、
前記サブ制御装置に、
前記変動指示信号を受信すると、該変動指示信号に応じた前記確定表示を実施する以前に、該確定表示の擬似表示となる演出図柄の組み合わせ又は演出図柄の組合せの一部を事前に表示する停止図柄予告演出を行う停止図柄予告実施手段と、
前記先読み判定信号の受信時に該先読み判定信号が前記特定の値を含み且つ前記保留記憶手段に所定数の保留記憶が記憶されていることを条件に成立し、前記特定の値の内容に応じて異なる値を設定する停止図柄予告フラグと、
該停止図柄予告フラグの成立に応じて、該成立の基となった前記先読み判定信号が示す前記図柄の種類を停止図柄指定情報として設定する停止図柄設定手段と、
前記停止図柄予告演出とは異なる先読み予告演出を実施する先読み予告演出実施手段と、前記先読み判定信号を受信すると該先読み判定信号が前記特定の値を含むことを条件に、前記先読み予告演出実施手段の実施が可能であることを示す先読み予告演出フラグを設定する先読み予告演出フラグ設定手段と、を備え、
前記停止図柄予告実施手段は、前記停止図柄予告フラグの成立から該停止図柄予告フラグを成立させた先読み判定信号に対応する保留記憶の前記抽選に応じた前記変動指示信号を受信するまで、前記変動指示信号を受信する毎に前記停止図柄指定情報が示す前記図柄の種類を参照し、全演出図柄の組合せと、リーチとなる演出図柄の組合せと、該リーチとなる演出図柄の組合せを除く複数の演出図柄の組合せと、組合せとはならない一つの演出図柄との中から事前に表示する停止図柄予告の表示態様を選択し、
前記特定の値を含む前記先読み判定信号受信時の前記保留記憶手段の保留記憶数に応じて前記停止図柄予告フラグ設定手段又は前記先読み予告演出フラグ設定手段のいずれかを実施する
ことを特徴とした弾球遊技機。
【発明の詳細な説明】
【技術分野】
【０００１】
本発明は、始動口に遊技球が入球したことに起因して行われる抽選の結果を報知する図柄を備えたパチンコ遊技機に関するものである。
【背景技術】
【０００２】
現状のパチンコ機は、遊技領域に設けられた始動口に遊技球が入球すると、入球した際に抽出した乱数値を所定数を限度として保留記憶し、該記憶された乱数値が予め定められた大当りとなる値であるか否かの抽選を実施している。
【０００３】
大当りを生起させるか否かの抽選結果は、該抽選結果に応じて実施される特別図柄の変動表示後の確定表示により報知される。尚、特別図柄は遊技領域の隅に小さく表示されるだけであって、遊技領域の中央に設けられた演出図柄表示装置において特別図柄の変動および確定表示に対応した擬似図柄の演出表示を行い、この擬似図柄の演出によって抽選結果に対する期待感を遊技者に与えている。なお、遊技者に抽選結果の期待感を与える演出は演出図柄表示装置上の表示演出だけではなく、パチンコ機に設けられている発光体や可動物を使用して行われる場合もある。
【０００４】
演出図柄表示装置において行われる演出の一形態として、近年のパチンコ機では、図柄変動開始時又は開始直後に確定表示図柄の内容、即ち抽選結果となる停止図柄の組み合わせ又は組み合わせの一部を事前に示唆する予告演出（停止図柄予告演出）がある＜特許文献１＞。
【０００５】
これは例えば、演出図柄表示装置上で左図柄、中図柄、右図柄の３図柄の組み合わせで抽選結果の報知を行い、図柄が変動を開始すると左、右、中の順番で変動を停止し、停止した３個の図柄が同じ図柄であれば大当りの報知となる構成とした場合、変動開始時に左図柄と中図柄に同一図柄（例えば「２」）が停止することを事前に示唆する停止図柄予告演出が行われると、停止順番が２番目である右図柄に「２」が停止すれば確定表示が行われる以前に大当りがほぼ確定することになるため、遊技者は上記の停止図柄予告演出が行われると、右図柄がどの図柄で停止するかということに注目して遊技することになる。
【０００６】
このように、停止する図柄又は図柄の組み合わせを事前に告知することによって、リーチ成立前の比較的楽しみの少ない図柄変動状況においても、所定の図柄が停止してくれることを期待しながら遊技する期間を創出し遊技性を向上させている。
【０００７】
また、近年のパチンコ機には、始動口への遊技球の入球に起因して記憶された乱数値の当否抽選を行う前に、該乱数値を確認（先読み判定）し、記憶されている乱数値が大当りの期待できるものか否かを報知する予告演出がある。
【０００８】
このような演出には、例えば、特別図柄の変動中に始動口に入球した場合に表示される保留記憶を表す表示態様に、通常時の態様とは異なる態様を表示することによって大当りの可能性を示唆するといったものや＜特許文献２＞、保留記憶の中に大当りの可能性があるものが確認されると、特別図柄の変動中に大当りを示唆するキャラクタを表示する等の演出を行うものなどがある。また、該演出を、大当りの可能性がある保留記憶が変動を開始するまで、複数回の変動表示で連続的に行うもの（連続演出）もある＜特許文献３＞。
【先行技術文献】
【特許文献】
【０００９】
【特許文献１】特開２００２−０８５７１３号公報
【特許文献２】特開２００５−０９５４０９号公報
【特許文献３】特開２００４−２４３０３７号公報
【発明の概要】
【発明が解決しようとする課題】
【００１０】
前述した停止図柄予告演出は、リーチ成立前の図柄変動時において遊技性を向上させることが可能な演出であるが、先読み制御の乱数値の確認によって複数の保留記憶の当否結果を正確に把握しながら連続した停止図柄予告演出を実施するものは無かった。
【００１１】
そこで本発明は、先読み判定制御を用いて停止図柄予告を行うことにより、遊技者にどの図柄で停止するのかを具体的に報知し、実際にその図柄で大当りが成立するのかといった遊技性を複数変動に亘って連続して与え続けることが可能な新規演出を備えた弾球遊技機を提供することを目的とする。
【課題を解決するための手段】
【００１２】
請求項１記載の弾球遊技機は、
始動口への遊技球の入球に起因して抽出した乱数値によって遊技者にとって有利な特別遊技状態を発生させるか否かを抽選する主制御装置と、
前記主制御装置から受信する前記抽選の結果に基づく変動パターン信号と図柄指定信号とに応じて複数の演出図柄の変動表示を行い該変動表示後に確定表示する演出図柄の組合せによって前記特別遊技状態の生起を報知するサブ制御装置と、
を備えた弾球遊技機において、
前記主制御装置に
前記抽選を未実施の乱数値を保留記憶として所定の上限数まで記憶する保留記憶手段と、
該保留記憶手段の保留記憶数更新に基づく保留記憶数指示コマンドを前記サブ制御装置に送信する保留記憶数送信手段と、
前記保留記憶手段に記憶された乱数値が、特定の値であるか否か及び前記抽選の結果となる図柄の種類を前記抽選の実施以前に判定する先読み判定手段と、
該先読み判定手段による判定結果を含む先読み判定信号を、前記サブ制御装置に送信する先読み判定信号送信手段と、
前記抽選の結果に応じて図柄の種類を選択する図柄選択手段と、図柄の変動パターンを選択する変動パターン選択手段と、
前記図柄選択手段によって選択された図柄の種類と、前記変動パターン選択手段によって選択された図柄の変動パターンとを指定する変動指示信号を前記サブ制御装置に送信する変動指示信号送信手段と、
を備え、
前記サブ制御装置に、
前記変動指示信号を受信すると、該変動指示信号に応じた前記確定表示を実施する以前に、該確定表示の擬似表示となる演出図柄の組み合わせ又は演出図柄の組合せの一部を事前に表示する停止図柄予告演出を行う停止図柄予告実施手段と、
前記先読み判定信号の受信時に該先読み判定信号が前記特定の値を含み且つ前記保留記憶手段に所定数の保留記憶が記憶されていることを条件に成立し、前記特定の値の内容に応じて異なる値を設定する停止図柄予告フラグと、
該停止図柄予告フラグの成立に応じて、該成立の基となった前記先読み判定信号が示す前記図柄の種類を停止図柄指定情報として設定する停止図柄設定手段と、
前記停止図柄予告演出とは異なる先読み予告演出を実施する先読み予告演出実施手段と、前記先読み判定信号を受信すると該先読み判定信号が前記特定の値を含むことを条件に、前記先読み予告演出実施手段の実施が可能であることを示す先読み予告演出フラグを設定する先読み予告演出フラグ設定手段と、を備え、
前記停止図柄予告実施手段は、前記停止図柄予告フラグの成立から該停止図柄予告フラグを成立させた先読み判定信号に対応する保留記憶の前記抽選に応じた前記変動指示信号を受信するまで、前記変動指示信号を受信する毎に前記停止図柄指定情報が示す前記図柄の種類を参照し、全演出図柄の組合せと、リーチとなる演出図柄の組合せと、該リーチとなる演出図柄の組合せを除く複数の演出図柄の組合せと、組合せとはならない一つの演出図柄との中から事前に表示する停止図柄予告の表示態様を選択し、
前記特定の値を含む前記先読み判定信号受信時の前記保留記憶手段の保留記憶数に応じて前記停止図柄予告フラグ設定手段又は前記先読み予告演出フラグ設定手段のいずれかを実施する
ことを特徴とした弾球遊技機である。
【００１３】
始動口への入球に起因して抽出する乱数値は複数種類としてもよく、遊技者にとって有利な特別遊技状態を発生させる大当りか否かの当否判定に用いる当否（大当り）判定用乱数の他に、該当否判定用乱数の抽選結果に応じて表示する確定図柄の種類と、図柄の変動内容を決定するために用いる乱数とするのが好適であり、例えば大当り図柄決定用乱数１、大当り図柄決定用乱数２、リーチ決定用乱数、変動パターン決定用乱数としてもよい。
【００１４】
サブ制御装置が主制御装置から受信した抽選結果に基づく信号に応じて変動表示させる複数の図柄は、サブ制御装置が制御する演出図柄表示装置に表示する構成が好適である。
【００１５】
保留記憶手段に記憶される保留記憶の数は、始動口への入球に基づいて増加し、保留記憶の抽選によって減少すればよく、保留記憶数送信手段によって送信される保留記憶数指示コマンドは、保留記憶数の増加時に保留記憶数が増加したことを示す信号としてもよく、該保留記憶数指示コマンドに先読み判定手段による判定結果を含む構成としてもよい。
【００１６】
先読み判定手段によって判定される特定の値とは、大当り判定用乱数値の判定により特別遊技状態を発生させる大当りを示す値としてもいいし、リーチ判定用乱数値又はリーチ判定用乱数値及び変動パターン決定用乱数値を確認し、特定の変動パターン（例えば所謂スーパーリーチ）を示す値を特定の値としてもよい。また、抽選の結果となる図柄の種類とは、大当り判定用乱数値の判定の結果に応じて選択される図柄の種類であればよく、大当りとなる判定結果に応じて選択される図柄の種類であれば、その図柄の種類によって大当り終了後に高確率状態（確変状態）になるか否かが判定可能となる構成が好適であり、更に大当り遊技の内容（例えば大入賞口が１５ラウンドの開放を行うか２ラウンドの開放を行うか等の開放回数の違いや、開放秒数の違い）が判別可能な構成が望ましい。
【００１７】
先読み判定手段による判定は、取得した乱数値を記憶する毎に必ず実施する構成が好適であるが、先読み判定信号送信手段は、先読み判定手段が判定を行った毎に必ず送信してもよいし、特定の値の判定内容（結果）や先読み判定手段を行った時点の遊技状態を条件として、送信するか否かの判定を行い、送信しない場合がある構成としてもよい。これは例えば、判定内容が特定の値（例えば大当り又は特定のリーチ）を示さない場合や、現時点の遊技状態が開放延長機能作動時であった場合は、送信しないといった構成となる。先読み判定手段が判定を行う毎に必ず判定結果を送信する構成の場合、サブ制御装置において受信時の遊技状態を参照し受信した先読み判定内容に応じた処理を実施するか否かを判定する構成も当然考えられる。
【００１８】
判定結果を含む先読み判定信号とは、特定の値や図柄の種類を示す内容、又は特定の値であるか否かと図柄の種類を示す内容や取得した乱数値（大当り判定用、リーチ判定用）自体と図柄の種類を示す内容であってもよい。従って、サブ制御装置は先読み判定信号の受信によって主制御装置に保留記憶された乱数値の少なくとも大当りか否かの判定結果が把握可能な構成となる。また、複数の特別図柄（例えば、第１特別図柄、第２特別図柄）を備えた遊技機の場合、先読み信号の内容にどの図柄に係る始動口への入球に起因する値であるかを示す内容を含み、先読み判定手段においてどの始動口入球に起因する値かを確認可能とする構成が好適である。
【００１９】
変動指示信号は、主制御装置が実施した抽選の結果に応じて選択した図柄と、該図柄の変動開始から停止表示するまでの時間を示す変動パターンとを、サブ制御装置に指示する内容であり所謂変動パターン信号と図柄指定信号を含む内容であればよく、演出図柄表示装置に表示する演出図柄の変動態様は、受信した変動指示信号とサブ制御装置が独自に生成する乱数値を用いて選択する構成としてもよい。またサブ制御装置が変動制御する図柄の数は複数とするのが好適であり、大当りとなる所定の図柄または図柄の組み合わせが遊技者に認識可能に表示されるものであれば、図柄の数又は種類は自由に構成してもよい。これは例えば、複数の行列（マトリックス）として配置された図柄の任意の列に所定の図柄が揃った場合に大当りとなる構成としてもよい。この場合のリーチも、あと一つの図柄が所定の図柄の種類で停止すれば大当りとなる状態となる。
【００２０】
変動指示信号が示す図柄とは、主制御装置が実施した抽選の結果を報知するための図柄であり、予め定められた確定表示される複数の図柄の種類の指定と捉えてもよい。また、受信した変動指示信号に応じてサブ制御装置が選択する図柄の変動態様においては、複数の図柄の変動開始後の停止順は一定に限るものでなくてもよく、また変動開始時の開始順も変動毎に異なる構成であってもよい。
【００２１】
停止図柄予告実施手段は、確定表示を実施する以前に確定表示となる図柄の組合せ又は該図柄の組合せの一部を事前に表示するが、表示する時期は、図柄の変動開始時から最初の停止図柄が表示されるまで、すなわち全ての図柄が変動中の期間が好適である。
【００２２】
停止図柄予告演出となる受信した変動指示信号に応じた確定表示の前に実施する確定表示の擬似表示は、確定表示において図柄が停止する所定の位置に、確定図柄の種類を暗示する図柄の組合せ又は該組合せの一部を表示すればよく、実際の確定表示とは表示する図柄の組合せが異なる内容であってもよい。
【００２３】
停止図柄予告フラグ設定手段は、少なくとも受信した先読み判定信号が特定の値を含むことを条件に停止図柄予告フラグを設定する構成であればよく、サブ制御装置が主制御装置から受信するその他の制御コマンド（例えば遊技状態の移行を示す大当り図柄となる変動指示信号）によって独自に判断する先読み判定信号受信時の遊技状態や、先読み判定信号受信時に抽出する乱数値を停止図柄予告フラグ設定の条件としてもよい。
【００２４】
停止図柄予告フラグとして設定される値は、先読み判定信号が示す特定の値の内容に応じて異なる値が設定される構成であり、フラグ値によって特定の値の内容、即ち特定の値に対応する保留記憶の抽選結果又は該抽選結果に応じた変動パターンが予測可能であればよい。
【００２５】
停止図柄指定情報は、停止図柄予告フラグを成立させた先読み判定信号が示す図柄の種類を判別可能に記憶する情報であり、停止図柄予告演出時に確定表示の擬似表示となる図柄の種類を決定する情報である。また、停止図柄指定情報は、停止図柄予告フラグの成立に応じて停止図柄設定手段によって所定の記憶領域に記憶され、該停止図柄予告フラグのクリアに応じて該所定の記憶領域からクリアされる構成が望ましい。
【００２７】
停止図柄予告演出とは異なる先読み予告演出とは、確定表示を実施する以前に確定表示となる図柄の組合せ又は該図柄の組合せの一部を事前に表示する予告演出とは異なる先読み判定信号の受信を契機に実施される予告演出であればよい。これは例えば、特定の値を示す先読み判定信号を受信すると該先読み判定信号に対応する保留記憶の保留記憶数表示部を通常の表示態様とは異なる態様に変化させる先読み予告を実施してもよいし、特定の値を示す先読み判定信号を受信すると次回の抽選に基づいた変動指示信号を受信した場合に大当りの可能性を示唆するキャラクタを表示する変動表示態様を実施してもよい。
【００２９】
高確率遊技状態を暗示する所定の表示態様とは、遊技者に確率変動を意識させることが可能な表示内容であればよく、例えば、確率変動機能を備えた一般的な遊技機がそうであるように、数字の奇数図柄（特に７）、赤色、といった所謂確変図柄に直結する表示態様でもよいし、確率変動そのものを示す「確率変動」又は「確変」といった文字列でもよい。また、高確率遊技状態を暗示する所定の表示態様とは異なる態様を表示することにより、非確率変動となることを暗示することが望ましい。
【００３１】
変動指示信号がハズレを示すことは、該変動指示信号が示す図柄の種類を基に判断してもよいし、受信済みの先読み判定信号を基に判断してもよい。また、変動指示信号が大当りを示すことは、既に受信済みの先読み判定信号によって判断する構成が好適である。
【発明の効果】
【００３２】
請求項１記載の弾球遊技機によれば、サブ統合装置は、保留記憶の先読み判定に基づいて設定する停止図柄フラグと停止図柄指示情報とに基づいて、以後の変動で実際に大当りとなる期待が大きい図柄を用い、該大当りとなる期待が大きい変動表示まで複数回の変動表示に亘って連続して停止図柄予告演出を実施することが可能となる。
【００３３】
加えて、先読み判定の結果となる特定の値の内容に応じて停止図柄予告フラグの値を設定することにより、先読み判定の結果に基づいて最も好適な停止図柄予告演出となる事前表示内容を決定することが可能となる。例えば停止図柄予告フラグの値が大当りを示す値であれば、リーチとなる組合せ若しくは全図柄が選択でき、停止図柄予告フラグの値がはずれを示す値であれば、１個の図柄やリーチの組合せにならない複数の図柄を選択する構成が可能になり、この構成により選択した図柄は、最後に表示される抽選結果（確定表示）の範囲内で最大限に大当りを期待させることができる。
【００３４】
停止図柄予告演出を連続して実施するにあたって好適な保留記憶の数ではない場合、該数が好適となる他の先読み予告演出を実施することにより、先読み判定を用いた演出力を常に発揮することが可能となる。
【図面の簡単な説明】
【００３７】
【図１】遊技盤８の正面図。
【図２】遊技機の電気的構成を示すブロック図。
【図３】主制御装置５０が実行する始動入賞処理を示すフローチャート。
【図４】特別図柄の変動パターンの種類の一例を示す図表。
【図５】主制御装置５０が実行する当否判定処理を示すフローチャート。
【図６】サブ統合制御装置５３が実行する保留球数受信処理を示すフローチャート。
【図７】サブ統合制御装置５３が実行する先読みコマンド受信処理を示すフローチャート。
【図８】サブ統合制御装置５３が実行する停止図柄予告Ｆ１設定処理を示すフローチャート。
【図９】サブ統合制御装置５３が実行する停止図柄予告Ｆ２設定処理を示すフローチャート。
【図１０】サブ統合制御装置５３が先読みコマンド受信時に抽出する振分乱数１の内容を示す図表。
【図１１】サブ統合制御装置５３が実行する変動指示信号受信処理を示すフローチャート１。
【図１２】サブ統合制御装置５３が実行する変動指示信号受信処理を示すフローチャート２。
【図１３】サブ統合制御装置５３が実行する変動指示信号受信処理を示すフローチャート３。
【図１４】演出図柄表示装置５４ｂに表示される連続して実施する停止図柄予告演出の表示態様例を示す図１。
【図１５】演出図柄表示装置５４ｂに表示される連続して実施する停止図柄予告演出の表示態様例を示す図２。
【図１６】演出図柄表示装置５４ｂに表示される連続して実施する停止図柄予告演出の表示態様例を示す図３。
【図１７】サブ統合制御装置５３が記憶する各種フラグとカウンタの内容を示す図表。
【図１８】先読み予告フラグの値に応じて実施される先読み予告演出の表示態様例を示した図。
【図１９】実施例２においてサブ統合制御装置５３が実行する変動指示信号受信処理を示すフローチャート１。
【図２０】実施例２において演出図柄表示装置５４ｂに表示される連続して実施する停止図柄予告演出の表示態様例を示す図１。
【図２１】実施例２において演出図柄表示装置５４ｂに表示される連続して実施する停止図柄予告演出の表示態様例を示す図２。
【図２２】実施例３においてサブ統合制御装置５３が実行する変動指示信号受信処理を示すフローチャート２。
【図２３】実施例３において演出図柄表示装置５４ｂに表示される連続して実施する停止図柄予告演出の表示態様例を示す図１。
【図２４】実施例３において演出図柄表示装置５４ｂに表示される連続して実施する停止図柄予告演出の表示態様例を示す図２。
【図２５】実施例３においてサブ統合制御装置５３が実行する変動指示信号受信処理を示すフローチャート２の変形例。
【発明を実施するための形態】
【００３８】
図１は、本実施例のパチンコ機の遊技盤８の正面図である。なお、このパチンコ機の全体的な構成は公知技術に従っているので図示及び説明は省略する。
【実施例１】
【００３９】
遊技盤８には公知のガイドレール２５ａ、２５ｂによって囲まれた略円形の遊技領域２６が設けられ、多数の遊技釘２７が植設されている。遊技領域２６の略中央には、窓部２８ａを有する液晶枠飾り２８が設けられており、演出図柄表示装置５４ｂ（図２参照）のＬＣＤ画面が遊技者から視認可能に構成され、図示しない公知のワープ入口、ワープ通路、ステージ等も設けられている。
【００４０】
また、窓部２８ａの上方左には、７セグメントＬＥＤ等の発光部材により構成される第１特別図柄表示装置２９、上方右には左と同一部材の第２特別図柄表示装置３０と、中央には４個の発光部材で構成される第２特別図柄保留数表示装置３０ａが設けられており、窓部２８ａ下には同様に４個の発光部材で構成される第１特別図柄保留数表示装置２９ａが設けられている。
【００４１】
液晶枠飾り２８の左右両側又は左側には後述する普通図柄作動スイッチ４２ａ（図２参照）を備える普通図柄作動ゲート４２が設けられており、下側には第１始動口３１と開放時のみ入賞可能となる普通電動役物４０が第２始動口３２として設けられている。また普通電動役物４０には、７セグメントＬＥＤ等の発光部材により構成される普通図柄表示装置４１が配置されている。第２始動口３２の下方には、アタッカー式の大入賞口３３ａを備える大入賞口ユニット３３が配置され、該大入賞口ユニット３３の下方にはアウト口３４が設けられている。大入賞口３３ａの左側には４個のＬＥＤで構成される普通図柄保留数表示装置４１ａが設けられている。また、大入賞口ユニット３３の左右両側には、後述する一般入賞口スイッチ３５ｂ（図２参照）を備える一般入賞口３５ａが複数備えられる入賞口ユニット３５が設けられている。
【００４２】
上記のように遊技盤８を構成することによって、普通図柄作動ゲート４２に入球（普通図柄作動スイッチ４２ａ（図２参照）にて遊技球を検出）すると、普通図柄表示装置４１で普通図柄が変動表示を開始し、所定時間後に停止した普通図柄の態様に応じて、後述する普通電役ソレノイド４０ｂ（図２参照）を駆動させる。普通電役ソレノイド４０ｂを駆動させると、ほぼ同期して普通電動役物４０の羽根部材が駆動して、普通電動役物４０への入球（第２特別図柄始動スイッチ３２ａ（図２参照）での検出率）が可能となるように構成されている。尚、本実施形態におけるパチンコ機では、普通電動役物４０の羽根部材が駆動する開放時間は、通常時は０．３秒（１回）、時短状態（開放延長状態）では５．０秒（１回）である。
【００４３】
第１始動口３１に遊技球が入球（第１特別図柄始動スイッチ３１ａ（図２参照）にて遊技球を検出）すると、第１特別図柄表示装置２９において第１特別図柄が変動を開始し、所定時間後に停止する。また、第２始動口３２である普通電動役物４０に入球（第２特別図柄始動スイッチ３２ａ（図２参照）にて遊技球を検出）すると、第２特別図柄表示装置３０において第２特別図柄が変動表示を開始し、所定時間後に停止する。
【００４４】
第１特別図柄及び第２特別図柄の変動中は、窓部２８ａに配置された演出図柄表示装置５４ｂにおいて各々の特別図柄の変動に連動した演出態様を表示する。また、第１特別図柄と第２特別図柄は、第１始動口と第２始動口への入球順に関係なく、第２特別図柄の変動停止を優先して実施する。具体的には、第１特別図柄の保留記憶がある場合、第２特別図柄の変動が停止し且つ第２特別図柄保留記憶が無い状態となって、第１特別図柄保留記憶分の変動を開始する。
【００４５】
第１特別図柄及び第２特別図柄の態様に応じて後述する大入賞口ソレノイド３３ｃ（図２参照）を駆動させる。大入賞口ソレノイド３３ｃを駆動させると、ほぼ同期して大入賞口ユニット３３の扉部材が駆動して、大入賞口３３ａへの入球（カウントスイッチ３３ｂ（図２参照）での検出率）が可能となるように構成されている。
【００４６】
続いて、図２に本実施例におけるパチンコ機の電気配線を示すブロック図を示し説明する。図２には煩雑になる電源の供給系統に関する記載は行わないが、電源が必要な制御装置若しくはアクチュエータ類には、電源装置（図示せず）から直接的又は間接的に供給される構成となっている。尚、遊技盤８を装着するパチンコ機本体に関する部品は図示を省略している。
【００４７】
図２に示す通り、主制御装置５０の入力端には、遊技盤中継端子板６２を介して第１始動口３１に入球した遊技球を検出する第１特別図柄始動スイッチ３１ａと第２始動口３２である普通電動役物４０に入球した遊技球を検出する第２特別図柄始動スイッチ３２ａと、普通図柄作動ゲート４２に入球した遊技球を検出する普通図柄作動スイッチ４２ａと、大入賞口３３ａに入球した遊技球を検出するカウントスイッチ３３ｂと、一般入賞口３５ａに入球した遊技球を検出する一般入賞口スイッチ３５ｂとが接続されており、裏配線中継端子板６３を介して前面枠が閉鎖していることを検出する前面枠閉鎖スイッチ３８と、意匠枠が閉鎖していることを検出する意匠枠閉鎖スイッチ３９ａ、３９ｂと、が接続されている。
【００４８】
主制御装置５０の出力端には、遊技盤中継端子板６２を介して大入賞口３３ａの扉部材を駆動する大入賞口ソレノイド３３ｃと、普通電動役物３１の羽根部材を駆動する普通電役ソレノイド４０ｂとが接続されており、図柄表示装置中継端子板６４を介して第１特別図柄を表示する第１特別図柄表示装置２９と、第１特別図柄の保留数を表示する第１特図保留数表示装置２９ａと、第２特別図柄を表示する第２特別図柄表示装置３０と、第２特別図柄の保留数を表示する第２特図保留数表示装置３０ａと、普通図柄を表示する普通図柄表示装置４１と、普通図柄の保留数を表示する普図保留数表示装置４１ａとが接続されており、裏配線中継端子板６３及び外部接続端子板６１を介して図示しないホールコンピュータ７０と、が接続されている。
【００４９】
主制御装置５０はＣＰＵ、ＲＯＭ、ＲＡＭ等の電気部品を備えており、搭載するＲＯＭに記憶されたプログラムに従ってＣＰＵにて処理を実行し、入力される各種検出信号などに基づいて遊技の進行に関わる各種コマンド等を生成し、払出制御装置５１及びサブ統合制御装置５３に出力する。ここで、主制御装置５０と払出制御装置５１とは双方向通信回路として構成され、主制御装置５０とサブ統合制御装置５３とは間に演出中継端子板６５を介した主制御装置５０からサブ統合制御装置５３への一方向通信回路として構成されている。
【００５０】
払出制御装置５１の入力端には、裏配線中継端子板６３を介して球タンク（図示せず）又はタンクレール（図示せず）内の遊技球が不足していることを検出する球切れスイッチ２２ａ又は２３ａと、裏配線中継端子板６３及び払出中継端子板６６を介して払い出した遊技球を検出する払出スイッチ２４ｂと、各種端子板を介することなく下皿への経路に遊技球が多数あることを検出する満杯スイッチ１３ａと、が接続されている。払出制御装置５１の出力端には、裏配線中継端子板６３及び払出中継端子板６６を介して遊技球を上皿へと払い出す払出モータ２４ａが接続されている。
【００５１】
払出制御装置５１はＣＰＵ、ＲＯＭ、ＲＡＭ等の電気部品を備えており、搭載するＲＯＭに記憶されたプログラムに従ってＣＰＵにて処理を実行し、入力される各種検出信号ならびに主制御装置５０から入力されるコマンドに基づいて遊技球の払い出しに関わる各種コマンド等を生成し、主制御装置５０及び発射制御装置５２に出力する。ここで、払出制御装置５１と主制御装置５０とは双方向通信回路として構成され、払出制御装置５１と発射制御装置５２とは払出制御装置５１から発射制御装置５２への一方向通信回路として構成されている。
【００５２】
また、払出制御装置５１は、外部接続端子板６１を介して賞球に関する情報などをホールコンピュータ７０に送信するほか、発射制御装置５２に対して発射停止信号を送信する。発射制御装置５２は発射モータ３６を制御して、遊技球を遊技領域２６に遊技球を発射させる。なお、発射制御装置５２には払出制御装置５１以外に発射ハンドル１８からの回動量信号、タッチスイッチ２０ａからのタッチ信号、発射停止スイッチ１９ａから発射停止スイッチ信号が入力される。回動量信号は、遊技者が発射ハンドル１８を操作することで出力され、タッチ信号は遊技者が発射ハンドル１８を触ることで出力され、発射停止スイッチ信号は、遊技者が発射停止スイッチ１９ａを押すことで出力される。なお、タッチ信号が発射制御装置５１に入力されていなければ、遊技球は発射できないほか、発射停止スイッチ信号が入力されているときには、遊技者が発射ハンドル１８を触っていても遊技球は発射出来ないようになっている。
【００５３】
サブ統合制御装置５３の入力端には、遊技者により操作可能な遊技スイッチ１４ａが接続されている。サブ統合制御装置５３の出力端には、図示しない意匠枠及び遊技盤８に備えられる各種ＬＥＤ・ランプ３７と、前面枠及びスピーカユニットに備えられるスピーカ１０と、が接続されている。尚、サブ統合制御装置５３と主制御装置５０とは間に演出中継端子板６５を介した主制御装置５０からサブ統合制御装置５３への一方向通信回路として構成され、サブ統合制御装置５３と演出図柄制御装置５４ａとはサブ統合制御装置５３から演出図柄制御装置５４ａへの一方向通信回路として構成されている。
【００５４】
サブ統合制御装置５３はＣＰＵ、ＲＯＭ、ＲＡＭ等の電気部品を備えており、搭載するＲＯＭに記憶されたプログラムに従ってＣＰＵにて処理を実行し、入力される遊技スイッチ１４ａの入力ならびに主制御装置５０から入力されるコマンドに基づいて演出に関わる各種コマンド等を生成し、演出図柄ユニット５４の演出図柄制御装置５４ａに出力する。
【００５５】
また、サブ統合制御装置５３には、音量を調節する音量調節スイッチ１０ａが備えられ、音量調節スイッチ１０ａの状態（位置）を検出し、その検出結果とスピーカ１０へ送信する内容とを判断し、スピーカ１０から出力する音量をソフト的に制御するように構成されている。
【００５６】
演出図柄制御装置５４ａは、サブ統合制御装置５３から受信したデータ及びコマンド（共に主制御装置５０から送信されてきたものとサブ統合制御装置５３が生成したものとがある）に基づいて演出図柄表示装置５４ｂを制御して、疑似図柄等の演出画像を窓部２８ａに表示させる。
【００５７】
次に、主制御装置５０が行う始動入賞処理について図３を用いて説明する。尚、メインルーチンとして行われる各処理は従来技術にそったものであるため説明は割愛する。始動入賞処理を開始すると、第１特図始動スイッチ３１ａ、第２特図始動スイッチ３２ａの検出信号に基づいて、第１始動口３１、第２始動口３２に遊技球が入球したか否かを判定する（Ｓ１０）。否定判定なら（Ｓ１０：ＮＯ）リターンに抜け、肯定判定なら（Ｓ１０：ＹＥＳ）検出信号が入力された側（第１特別図柄又は第２特別図柄）の保留記憶数について、記憶可能数まで既に記憶されているか否かを判定する（Ｓ２０）。尚、本実施例での記憶可能数はそれぞれ４個であり、この値が本願発明における上限数に該当する。
【００５８】
Ｓ２０が肯定判定なら（Ｓ２０：ＹＥＳ）、抽出した大当り判定用乱数、大当り図柄決定用乱数１、大当り図柄決定用乱数２、リーチ決定用乱数、変動パターン決定用乱数を、検出信号が入力された側（第１特別図柄又は第２特別図柄）の保留記憶として記憶し（保留記憶手段）、保留記憶数を示す保留記憶カウンタに１を加算する（Ｓ３０）。これにより、第１始動口３１への入球により抽出された乱数値は第１保留記憶専用の記憶領域に記憶され、第２始動口３２への入球により抽出された乱数値は第２保留記憶専用の記憶領域に記憶される。
【００５９】
Ｓ３０の処理後は先読み判定処理を行なう（Ｓ４０）。先読み判定処理は、第１始動口３１又は第２始動口３２に遊技球が入球したことにより保留記憶された乱数値を、後述する当否判定処理を実施する前に遊技者に大当りの期待を持たせる演出を行うことが可能か否かを判定（先読み判定）する処理である。具体的には、保留記憶された大当り判定用の乱数値が予め定められた大当り値と一致しているか否か、また、不一致の場合は変動パターン決定用の乱数値がいわゆるスーパーリーチとなる特定の変動パターン（図４に示す変動パターン１０、１２）となるものか否かを判定する（本願発明における先読み判定手段）。
【００６０】
続いてＳ４０の判定結果が大当りか否か判定する（Ｓ５０）。肯定判定なら（Ｓ５０：ＹＥＳ）、先読み判定の対象となった保留記憶の大当り図柄決定用乱数１と大当り図柄決定用乱数２を用いて抽選結果（大当り判定結果）の報知となる図柄の種類を選択し（Ｓ６０）、サブ統合制御装置５３に送信する信号（先読み判定信号）として、当否判定の大当りとＳ６０で選択した図柄の種類の情報を含んだ先読みコマンド１を選択する（Ｓ７０）。Ｓ５０が否定判定なら（Ｓ５０：ＮＯ）、Ｓ４０の判定結果がスーパーリーチか否か判定する（Ｓ８０）。肯定判定なら（Ｓ８０：ＹＥＳ）、抽選結果の報知となるスーパーリーチに応じた図柄の種類を選択し（Ｓ９０）、サブ統合制御装置５３に送信する信号（先読み判定信号）として、スーパーリーチ変動とＳ９０で選択した図柄の種類の情報を含んだ先読みコマンド２を選択する（Ｓ１００）。Ｓ８０が否定判定なら（Ｓ８０：ＮＯ）、抽選結果の報知となるハズレ図柄の種類を選択し（Ｓ１１０）、サブ統合制御装置５３に送信する信号（先読み判定信号）として、抽選結果のハズレとＳ１１０で選択した図柄の種類の情報を含んだ先読みコマンド３を選択する（Ｓ１２０）。
【００６１】
次に上記した処理で選択した先読みコマンド（１、２、３）をサブ統合制御装置５３に送信する（先読み判定信号送信手段）（Ｓ１３０）。続いて、加算した保留記憶カウンタの値を示す保留記憶数指示コマンドをサブ統合制御装置５３に送信し（Ｓ１４０）（保留記憶数送信手段）リターンに抜ける。尚、先読みコマンドは、第１、第２どちらの始動口への入球に起因した信号であるかを判別可能とした構成となっている。
【００６２】
以上が始動入賞処理の内容となるが、始動口入賞時の遊技状態や他の条件によって、先読みコマンドを送信する否かを判定する構成としてもよい。例えば、開放延長機能が作動する時短状態では先読みコマンドを送信しない構成であったり、第１始動口３１への入賞を検出したときのみ先読みコマンドを送信する構成としてもよい。また、どのような状態でも常に先読みコマンドを送信する構成とし、受信する側のサブ統合制御装置５３が遊技状態やその他の条件を判断し受信した先読みコマンドを用いた処理を実施するか否かを判断する構成としてもよい。また、本実施例では先読みコマンドと保留記憶数指示コマンドを別々に送信しているが、ひとつのコマンドにまとめて送信する構成も考えられる。
【００６３】
次に図５に示したフローチャートを用いて主制御装置５０が行う当否判定処理を説明する。当否判定処理を開始すると、特図の始動条件が成立しているか否か判定する（Ｓ２００）。この判定処理では、大当り遊技中でないこと、第１及び第２特図が変動中又は確定表示中でないことを確認する。否定判定なら（Ｓ２００：ＮＯ）リターンに抜け、肯定判定なら（Ｓ２００：ＹＥＳ）、第２保留記憶が有るか否か判定する（Ｓ２１０）。肯定判定なら（Ｓ２１０：ＹＥＳ）、Ｓ２３０に進み、否定判定なら（Ｓ２１０：ＮＯ）第１保留記憶が有るか否か判定する（Ｓ２２０）。否定判定なら（Ｓ２２０：ＮＯ）リターンに抜け、肯定判定なら（Ｓ２２０：ＹＥＳ）、Ｓ２３０に進む。Ｓ２１０とＳ２２０の判定順により、第２保留記憶の当否判定を優先して実施する構成となっている。
【００６４】
Ｓ２３０では確変フラグの値が０か否か判定する（Ｓ２３０）。本実施例のパチンコ遊技機は確率変動機能を備えており、具体的には当否判定の大当り確率が１／６０の高確率遊技状態と、１／３００の通常確率遊技状態とが、大当り判定時に選択される大当り図柄の種類に応じて大当り遊技終了後に移行制御される構成となっている。確変フラグは、主制御装置５０が記憶する値であり、値が「０」のときは、大当り確率が通常確率であることを、値が「１」のときは、高確率中（確変中）であることを主制御装置５０が判断するための値である。肯定判定なら（Ｓ２３０：ＹＥＳ）、Ｓ２４０に進み、否定判定なら（Ｓ２３０：ＮＯ）、高確率中の処理に進む。高確率中の処理は、大当りとなる確率のみが異なる処理となるため説明は割愛する。
【００６５】
Ｓ２４０では、第１又は第２保留記憶のシフト処理を行い（Ｓ２４０）、これにより第１又は第２保留記憶の最も古い保留記憶を当否判定の対象とするとともに、保留記憶数を示す保留記憶カウンタから１を減算する。
【００６６】
続く、大当り判定用乱数比較処理（Ｓ２５０）では、当否判定の対象とした保留記憶の大当り判定用乱数値と予め設定された当否判定テーブルとを比較して、乱数値が当否判定テーブル内の判定値と一致するか比較する。当否判定テーブルは通常確率（低確率１／３００）用と高確率（１／６０）用の２種類のテーブルが設定してあり、当否判定時の遊技状態が通常遊技（確変フラグ「０」）であれば通常確率用の当否判定テーブルを用いて比較し、高確率の遊技状態（確変フラグ「１」）であれば高確率用の当否判定テーブルを用いて比較する。
【００６７】
続いて、大当り判定用乱数の比較処理（Ｓ２５０）の結果が大当りであるか否か判定する。肯定判定なら（Ｓ２６０：ＹＥＳ）、図柄モード設定処理を行う（Ｓ２７０）。図柄モード設定処理では、当否判定の対象とした保留記憶の種類（第１保留記憶又は第２保留記憶）と、判定対象となる保留記憶の大当り図柄決定用乱数１に基づいて、大当り遊技の内容（大入賞口３３ａの開放回数が１４ラウンドか１０ラウンドか）と大当り遊技終了後の遊技状態を決定する図柄モードを設定する。次に、設定した図柄モードの種類と判定対象となる保留記憶の大当り図柄決定用乱数２に基づいて大当り図柄選択処理を行う（Ｓ２８０）（本願発明における図柄選択手段）。これは、図柄モードの設定によって決定した大当りの種類（大当り遊技の内容と大当り遊技終了後の遊技状態）を大当り図柄によって報知するために、図柄モードの種類毎に設定された図柄郡の中から表示する図柄を決定する処理となる。尚、前述した図６のＳ６０においても同様の処理（Ｓ２７０、Ｓ２８０）によって図柄が選択される。
【００６８】
次にＳ２７０で設定した図柄モードに基づいてモードバッファ設定処理を行う（Ｓ２９０）。モードバッファは当否判定時に決定した大当り遊技終了後の遊技状態の内容を、該遊技状態を設定する大当り遊技終了時まで記憶する装置である（大当り遊技中は遊技状態を設定する確変フラグ及び時短フラグをクリアする必要があるため）。モードバッファとしては、具体的な遊技内容（確変機能および開放延長機能（時短機能）の作動とその作動回数）は記憶せず、具体的な遊技内容を複数種類記憶したテーブルの中から図柄モードの値によって選択される遊技内容を、該遊技内容に対応した値として記憶する構成となっている。
【００６９】
次に、Ｓ２７０で設定した図柄モードに基づいて大当り遊技の内容となる大入賞口の開放パターン設定処理を行い（Ｓ３００）、当否判定の対象とした保留記憶のリーチ決定用乱数および変動パターン決定用乱数に基づいて、第１特別図柄表示装置２９又は第２特別図柄表示装置３０、及び演出図柄表示装置５４ｂに表示する図柄の変動時間となる変動パターンを、変動パターン選択テーブル（図４参照）から選択する（Ｓ３１０）（本願発明における変動パターン選択手段）。
【００７０】
次に、選択した大当り図柄および変動パターンの情報を、変動指示信号としてサブ統合制御装置５３へ送信する（Ｓ３２０）（本願発明における変動指示信号送信手段）。この情報を受信したサブ統合制御装置５３からの指示に基づいて、演出図柄制御装置５４ａは演出図柄表示装置５４ｂを制御し、大当り図柄および変動パターンの情報に対応する図柄の変動表示を開始する。サブ統合制御装置５３への送信とほぼ同時に、主制御装置５０は、第１特別図柄表示装置２９又は第２特別図柄表示装置３０を直接制御して特図の変動を開始する（図示省略）。
【００７１】
Ｓ２６０が否定判定、即ちハズレなら（Ｓ２６０：ＮＯ）、大当り判定用乱数の比較処理（Ｓ２５０）の結果が小当りであるか否か判定し（１／１５０）（Ｓ３３０）、肯定判定なら（Ｓ３３０：ＹＥＳ）、小当り図柄を選択し（Ｓ３４０）（本願発明における図柄選択手段）、続いて小当り遊技の開放パターン設定処理を行い（Ｓ３００）、小当り図柄に対応する変動パターン選択処理を行い（Ｓ３１０）（本願発明における変動パターン選択手段）、小当り図柄および変動パターンの情報となる変動指示信号をサブ統合制御装置５３へ送信する（Ｓ３２０）（本願発明における変動指示信号送信手段）。この情報を受信したサブ統合制御装置５３からの指示に基づき演出図柄制御装置５４ａは演出図柄表示装置５４ｂを制御し、小当り図柄および変動パターンの情報に対応する図柄の変動表示を開始する。サブ統合制御装置５３への送信とほぼ同時に、主制御装置５０は、第１特図表示装置２９又は第２特図表示装置３０を直接制御して特図の変動を開始する。
【００７２】
Ｓ３３０が否定判定なら（Ｓ３３０：ＮＯ）、ハズレ図柄を選択し（Ｓ３５０）（本願発明における図柄選択手段）、続いてハズレ図柄に対応する変動パターン設定処理を行い（Ｓ３１０）（本願発明における変動パターン選択手段）、ハズレに関する図柄及び変動パターンの情報となる変動指示信号をサブ統合制御装置５３へ送信する（Ｓ３２０）（本願発明における変動指示信号送信手段）。この情報を受信したササブ統合制御装置５３からの指示に基づき演出図柄制御装置５４ａは演出図柄表示装置５４ｂを制御し、ハズレ図柄および変動パターンの情報に対応する図柄の変動表示を開始する。サブ統合制御装置５３への送信とほぼ同時に主制御装置５０は、第１特図表示装置２９又は第２特図表示装置３０を直接制御して特図の変動を開始する。
【００７３】
以上が当否判定処理の説明となり、抽選の結果に応じて本願発明における図柄選択手段、変動パターン選択手段、変動指示信号送信手段が実施される処理となる。
【００７４】
次に、サブ統合制御装置５３が実行する保留球数受信処理を図６に示すフローチャートを用いて説明する。保留球数受信処理は、主制御装置５０から受信した保留記憶数指示コマンド（図３、Ｓ１２０）に基づき、演出図柄表示装置５４ｂに保留記憶数表示を行うための保留球数表示指示信号を演出図柄制御装置５４ａに送信する処理である。保留球数受信処理を開始すると、主制御装置５０から保留記憶数指示コマンドを受信したか否かを判定する（Ｓ４００）。否定判定なら（Ｓ４００：ＮＯ）リターンし、肯定判定なら（Ｓ４００：ＹＥＳ）、受信した保留記憶数指示コマンドが示す第１又は第２保留記憶の種類に応じて該当する保留球数カウンタの値に１を加え（Ｓ４１０）、１を加えた値の表示態様を指定する信号（保留球数表示指示信号）を第１又は第２の区別が可能に演出図柄制御装置５４ａに送信する（Ｓ４２０）。保留球数カウンタは、演出図柄表示装置５４ｂに表示する保留記憶数を示すカウンタであり、新たな変動表示が開始する毎に−１のデクリメント処理が行われる。この処理によって演出図柄表示装置５４ｂには、主制御装置５０が備える保留記憶手段が記憶する保留記憶の数を適時に表示することが可能となる。尚、サブ統合装置５３と演出図柄制御装置５４ａが統合された構成の場合はＳ４２０（保留球数表示信号送信処理）をそのまま保留球数表示処理とすればよい。
【００７５】
次に、サブ統合制御装置５３が実行する先読みコマンド受信処理を図７に示すフローチャートを用いて説明する。この処理は、主制御装置５０から受信した先読みコマンドを記憶するとともに、その内容に応じて後述する停止図柄予告フラグを設定する処理であり、本願発明における停止図柄予告フラグ設定手段と、先読み予告演出フラグ設定手段と、停止図柄設定手段とを含む処理となる。
【００７６】
先読みコマンド受信処理を開始すると、先読みコマンドを受信したか否か判定する（Ｓ５００）。否定判定なら（Ｓ５００：ＮＯ）リターンに抜け、肯定判定なら（Ｓ５００：ＹＥＳ）、先読みコマンド記憶処理を行う（Ｓ５１０）。この先読みコマンド記憶処理では、受信した先読みコマンドそのものを、受信した順番が特定可能に専用の記憶領域に格納する処理であり、受信した先読みコマンドの対象となる保留記憶の変動情報を受信すると該当する先読みコマンドの記憶を消去し、他に先読みコマンドの記憶が有る（残っている）場合は、記憶領域のシフト処理が行われる。
【００７７】
Ｓ５１０に続いては、振分乱数１抽出処理を行い（Ｓ５２０）、停止図柄予告フラグが「０」か否か判定する（Ｓ５３０）。停止図柄予告フラグはサブ統合制御装置５３が記憶する値であり、図１７（２）の表に示すように、値が「０」のときは停止図柄予告を未実施又は実施不可能な状態であることを、値が「１」のときは受信した先読みコマンド１に基づいて停止図柄予告を実中若しくは実施待機中の状態であることを、値が「２」のときは受信した先読みコマンド２に基づいて停止図柄予告を実中若しくは実施待機中の状態であることをサブ統合制御装置５３が判断するための値である。このように停止図柄予告フラグの値を設定することにより、値が「１」であれば当否判定の結果が大当りとなることを前提にして処理を進行し、値が「２」であれば当否判定の結果はハズレだが遊技者の期待感を大きく振幅させるスーパーリーチとなることを前提にして処理を進行することが可能となっている。
【００７８】
Ｓ５３０が否定判定なら（Ｓ５３０：ＮＯ）リターンに抜け、肯定判定なら（Ｓ５３０：ＹＥＳ）、Ｓ５１０で記憶した現在記憶している先読みコマンドの中に大当りとなる内容の先読みコマンドがあるか否か判定する（Ｓ５４０）。この判定によって、連続する停止図柄予告演出の途中で、言い換えれば停止図柄予告の連続回数が設定された回数に至る前に大当りとなることを防止している。Ｓ５４０が否定判定なら（Ｓ５４０：ＮＯ）リターンに抜け、肯定判定なら（Ｓ５４０：ＹＥＳ）受信した先読みコマンドの種類が先読みコマンド１か否か判定する（Ｓ５５０）。肯定判定なら（Ｓ５５０：ＹＥＳ）、停止図柄予告フラグ１設定処理を行う（Ｓ５６０）。否定判定なら（Ｓ５５０：ＮＯ）受信した先読みコマンドの種類が先読みコマンド２か否か判定する（Ｓ５７０）。肯定判定なら（Ｓ５７０：ＹＥＳ）、停止図柄予告フラグ２設定処理を行う（Ｓ５８０）。Ｓ５７０の否定判定（Ｓ５７０：ＮＯ）又はＳ５６０、Ｓ５８０の処理の後リターンする。
【００７９】
この処理によって、先読みコマンドの種類、即ち図３のＳ４０で主制御装置５０が実行した先読み判定の結果に応じた停止図柄予告フラグの値を設定する。具体的には主制御装置５０の先読み判定の結果が大当りであれば、停止図柄予告フラグの値に「１」を設定する処理を行い、先読み判定の結果がハズレでもスーパーリーチ変動であれば、停止図柄予告フラグの値に「２」を設定する処理を行う。先読み判定の結果がハズレでスーパーリーチ変動でもなければ、停止図柄予告フラグの設定は実施されないが、ハズレを示す先読み判定信号（３）がＳ５１０の処理によって記憶されるため、サブ統合制御装置５３においても全ての保留記憶の当否判定内容が確認可能な構成となっている。
【００８０】
次にＳ５６０の停止図柄予告フラグ１設定処理を図８に示すフローチャートを用いて説明する。この処理は、本願発明における停止図柄予告フラグ設定手段と、先読み予告演出フラグ設定手段と、停止図柄設定手段とを含む処理となる。停止図柄予告フラグ１設定処理ではまず図７のＳ５２０で抽出した振分乱数１が停止図柄予告フラグ１の設定値か否か判定する（Ｓ６００）。サブ統合制御装置５３が備える振分乱数１は図１０の図表に示すようにその総数を５０個とし、停止図柄予告フラグ１の設定値は３、７、１３、１７、２３、２７、３３、３７、４３、４７の１０個となる。従って、大当り判定を示す先読みコマンド１をサブ統合制御装置５３が受信した場合は、１／５が停止図柄予告フラグ１の設定処理を継続し、少なくとも４／５が停止図柄予告フラグ１を成立させない構成となっている。
【００８１】
同様に、停止図柄予告フラグ２の設定値は５、２５の２個となる。従って、ハズレスーパーリーチ判定を示す先読みコマンド２をサブ統合制御装置５３が受信した場合は、１／２５が停止図柄予告フラグ２の設定処理を継続し、少なくとも２４／２５が停止図柄予告フラグ２を成立させない構成となっている。
【００８２】
図８に戻り、Ｓ６００が否定判定なら（Ｓ６００：ＮＯ）リターンに抜け、肯定判定なら（Ｓ６００：ＹＥＳ）、保留球数カウンタの値が４か否か判定する（Ｓ６１０）。肯定判定なら（Ｓ６１０：ＹＥＳ）、停止図柄予告フラグに「１」を設定し（Ｓ６２０）、予告連続カウンタに４をセットし（Ｓ６３０）、Ｓ５１０で記憶した最も新しい先読みコマンドが示す図柄の種類を参照し（Ｓ６４０）、停止図柄記憶領域に参照した図柄の種類を設定し（Ｓ６５０）リターンする。Ｓ６４０とＳ６５０が本願発明における停止図柄設定手段に該当する。予告連続カウンタは、図１７（３）に示すように停止図柄予告を実施する連続回数を示すカウンタであり、停止図柄予告を実施する毎にその値がデクリメントされる。
【００８３】
Ｓ６１０が否定判定なら（Ｓ６１０：ＮＯ）、保留球数カウンタの値が３か否か判定する（Ｓ６６０）。肯定判定なら（Ｓ６６０：ＹＥＳ）、停止図柄予告フラグに「１」を設定し（Ｓ６２０）、予告連続カウンタに３をセットし（Ｓ６７０）、Ｓ５１０で記憶した最も新しい先読みコマンドが示す図柄の種類を参照し（Ｓ６４０）、停止図柄記憶領域に参照した図柄の種類を設定し（Ｓ６５０）リターンする。Ｓ６６０が否定判定なら（Ｓ６６０：ＮＯ）、先読み予告フラグに「１」を設定し（Ｓ６８０）リターンする。
【００８４】
本実施例では、停止図柄予告フラグ設定時に保留球数カウンタの値が３個よりも少ない場合、停止図柄予告演出の連続回数が不足と判断し、連続する停止図柄予告演出とは異なる後述する先読み演出を実施するため先読み予告フラグを設定する。この構成により、サブ統合制御装置５３は、先読みコマンドを受信した場合の保留記憶数の数に拘わらず、常に有効な演出を選択することが可能な構成になっている。また、後述するように、先読み予告フラグの値もサブ統合制御装置５３が受信する先読みコマンドの種類によって異なる値が設定される構成となっている。従って、Ｓ６８０が本願発明における先読み予告演出フラグ設定手段に該当し、停止図柄予告フラグ設定処理の構成全体が、保留記憶手段の保留記憶数に応じて停止図柄予告フラグ設定手段又は先読み予告演出フラグ設定手段のいずれかを実施する構成となっている。またこの構成は後述する停止図柄予告フラグ２設定処理においても同様となる。
【００８５】
次に図７のＳ５８０停止図柄予告フラグ２設定処理を、図９に示すフローチャートを用いて説明する。この処理も、本願発明における停止図柄予告フラグ設定手段と、先読み予告演出フラグ設定手段と、停止図柄設定手段とを含む処理となる。処理の構成は、図８に示した停止図柄予告フラグ１設定処理と同様となるが停止図柄予告フラグ及び先読み予告演出フラグへ設定する値が異なる。停止図柄予告フラグ２設定処理でもまず図７のＳ５２０で抽出した振分乱数１が停止図柄予告フラグ２の設定値か否か判定する（Ｓ７００）。上述したように１／２５の確率で肯定判定になると以降の処理に進み（Ｓ７００：ＹＥＳ）、否定判定なら（Ｓ７００：ＮＯ）リターンに抜ける。Ｓ７００が肯定判定なら、保留球数カウンタの値が４か否か判定する（Ｓ７１０）。肯定判定なら（Ｓ７１０：ＹＥＳ）、停止図柄予告フラグに「２」を設定し（Ｓ７２０）、予告連続カウンタに４をセットし（Ｓ７３０）、Ｓ５１０で記憶した最も新しい先読みコマンドが示す図柄の種類を参照し（Ｓ７４０）、停止図柄記憶領域に参照した図柄の種類を設定し（Ｓ７５０）リターンする。Ｓ７４０と７５０が本願発明における停止図柄設定手段に該当する。
【００８６】
Ｓ７１０が否定判定なら（Ｓ７１０：ＮＯ）、保留球数カウンタの値が３か否か判定する（Ｓ７６０）。肯定判定なら（Ｓ７６０：ＹＥＳ）、停止図柄予告フラグに「２」を設定し（Ｓ７２０）、予告連続カウンタに３をセットし（Ｓ７７０）、Ｓ５１０で記憶した最も新しい先読みコマンドが示す図柄の種類を参照し（Ｓ７４０）、停止図柄記憶領域に参照した図柄の種類を設定し（Ｓ７５０）リターンする。Ｓ７６０が否定判定なら（Ｓ７６０：ＮＯ）、先読み予告フラグに「２」を設定し（Ｓ６８０）リターンする。
【００８７】
上述したように図８、図９に示した停止図柄予告フラグ（１、２）設定処理は、本願発明における停止図柄予告フラグ設定手段に該当し、停止図柄予告フラグ（１、２）設定処理によって停止図柄予告フラグに先読み判定の結果に応じた値が設定されると、該設定時の保留記憶数を予告連続カウンタに設定する構成となっている。この構成は、停止図柄予告フラグ設定手段は、停止図柄予告フラグ成立時の保留記憶数に応じて、停止図柄予告演出の連続回数を計数する予告連続カウンタを設定する予告連続カウンタ設定手段を含む構成といえる。
【００８８】
次に、サブ統合制御装置５３が実行する変動指示信号受信処理を図１１に示すフローチャートを用いて説明する。この処理は、主制御装置５０から受信した変動指示信号に応じて演出図柄表示装置５４ｂに表示する演出図柄の表示態様を選択してその選択した内容を演出図柄制御装置５４ａに指示する処理であり、本願発明における停止図柄予告実施手段と、先読み予告演出実施手段と、停止図柄予告フラグ設定手段の一部と、先読み予告演出フラグ設定手段の一部とを含む処理となる。
【００８９】
変動指示信号受信処理を開始すると、主制御装置５０から変動指示信号を受信したか否か判定する（Ｓ９００）。否定判定なら（Ｓ９００：ＮＯ）リターンし、肯定判定なら（Ｓ９００：ＹＥＳ）振分乱数２を抽出し（Ｓ９１０）、保留球数カウンタのデクリメントを行い（Ｓ９２０）、受信した変動指示信号（抽選結果に応じた図柄および変動パターンの情報）と抽出した振分乱数２の値に応じて、サブ統合制御装置５３が記憶する複数種類の変動態様及び演出図柄の中から演出図柄表示装置５４ｂに表示する演出図柄の変動態様と確定表示する図柄の種類を選択する（Ｓ９３０）。
【００９０】
続いて停止図柄予告フラグの値が０より大きいか否か、即ち連続する停止図柄予告演出を実施中（設定中）か否か判定する（Ｓ９４０）。肯定判定なら（Ｓ９４０：ＹＥＳ）、停止図柄予告フラグの値（「１」又は「２」）と、予告連続カウンタの値（１、２、３、４の何れか）と、Ｓ６５０又はＳ７５０で設定した停止図柄指示情報とを参照し（Ｓ９５０、Ｓ９６０、Ｓ９７０）、停止図柄予告フラグの値と、予告連続カウンタの値と、停止図柄の種類を基に、停止図柄予告演出として実施する後述する図柄予告パターンを選択し（Ｓ９８０）、Ｓ９３０で選択した確定表示を実施する演出図柄と変動態様に、Ｓ９８０で選択した停止図柄予告演出の図柄予告パターンを組合せ、停止図柄予告演出時の変動態様を設定する（Ｓ９９０）。尚、停止図柄予告演出の図柄予告パターンは、停止図柄予告フラグの値と予告連続カウンタの値に応じて選択可能なテーブルとしてサブ統合制御装置５３に記憶されている。
【００９１】
Ｓ９９０に続いては図１２のフローチャートに進み、予告連続カウンタのデクリメントを行い（Ｓ１０００）、予告連続カウンタの値が０か否か判定する（Ｓ１０１０）。肯定判定なら（Ｓ１０１０：ＹＥＳ）、停止図柄予告フラグをクリアし（Ｓ１０２０）、停止図柄指示情報をクリアする（Ｓ１０３０）。Ｓ１０３０又はＳ１０１０の否定判定（Ｓ１０１０：ＮＯ）に続いては、上記処理によって選択設定された変動態様を演出図柄表示装置５４ｂに表示する指示信号を、演出図柄制御装置５４ａに送信し（Ｓ１０４０）、リターンに抜ける。
【００９２】
図１１に戻り、Ｓ９４０が否定判定なら（Ｓ９４０：ＮＯ）、図１３のフローチャートに進み、先読み予告演出フラグの値が０よりも大きいか否か判定する（Ｓ１１００）。肯定判定なら（Ｓ１１００：ＹＥＳ）、先読み予告演出フラグの値に応じて、後述する内容の先読み演出態様を選択し（Ｓ１１１０）、Ｓ９３０で選択した確定表示を実施する演出図柄と変動態様に、Ｓ１１１０で選択した先読み演出態様を組合せた変動態様を設定し（Ｓ１１２０）、先読み予告演出フラグの値をクリアし（Ｓ１１３０）、Ｓ１０４０に進む。
【００９３】
以上が、サブ統合制御装置５３が実行する変動指示信号受信処理となる。Ｓ９４０の判定からＳ９９０までが本願発明における停止図柄予告実施手段に該当し、Ｓ１１００の判定からＳ１１３０までが本願発明における先読み予告演出実施手段に該当し、Ｓ１０００からＳ１０２０までが停止図柄予告フラグ設定手段の一部、Ｓ１１３０が先読み予告演出フラグ設定手段の一部に該当する処理となる。
【００９４】
Ｓ１０００からＳ１０２０までの停止図柄予告フラグ設定手段の一部では、図８、図９を用いて説明した予告連続カウンタ設定処理（Ｓ６３０、Ｓ６７０、Ｓ７３０、Ｓ７７０）によって設定したカウンタ値の減算処理（Ｓ１０００）と、該減算処理によって減算後のカウンタ値が所定値（本実施例では０）となることを条件に停止図柄予告フラグのフラグ値をクリアする処理（Ｓ１０１０、Ｓ１０２０）を行う構成となっている。従って、停止図柄予告フラグ設定手段には、停止図柄予告演出の実施回数を計数する予告実施カウンタと、停止図柄予告フラグ設定時に保留記憶手段が記憶する保留記憶の数と同一値を設定する予告実施回数設定手段（Ｓ６３０、Ｓ６７０、Ｓ７３０、Ｓ７７０）と、該予告実施回数設定手段の実施後に変動指示信号を受信すると予告実施カウンタの値を減算する演算手段（Ｓ１０００）と、該演算手段による演算後の値が所定値となることを条件に停止予告フラグの値をクリアする停止図柄予告フラグクリア手段（Ｓ１０１０、Ｓ１０２０）と、を含む構成となる。
【００９５】
また、Ｓ１１３０の先読み予告演出フラグ設定手段の一部では、先読み演出の実施を設定したことに応じて先読み予告フラグ（先読み予告演出フラグ）のフラグ値をクリアする処理を行っている。
【００９６】
次に、図１４、１５、１６を用いて、Ｓ９９０の設定に応じて演出図柄表示装置５４ｂで連続して実施する停止図柄予告演出の演出態様（図柄予告パターン）の例を連続演出の流れに沿って説明する。図１４（１）ａは、停止図柄予告フラグが成立（フラグ値に「１」又は「２」がセット）し、予告連続カウンタの値に「４」又は「３」がセットされた停止図柄予告フラグ設定後の１回目の変動開始時を示す表示態様例となる。尚、停止図柄予告フラグの成立に応じて停止図柄指示情報には数字の５を示す内容が記憶されている。
【００９７】
この場合、複数回の変動表示に亘って連続して実施される停止図柄予告演出の１回目の予告演出として、大当りとなる期待度の最も低い図柄停止パターンを実施する。具体的には、左、右、中の３個の図柄が高速変動を開始すると、高速変動する左図柄に被さるように停止図柄指定情報が示す「５」を半透明（図柄の変動状態が確認可能）で約１．０秒間表示する。これにより、以後の変動表示において引き続き連続して停止図柄予告が実施されることを示唆する演出となっている。
【００９８】
図１４（１）ｂは、１回目の停止図柄予告演出が実施された変動表示のハズレを示す確定図柄の表示態様例となる。例では、受信した変動指示信号が示すハズレ図柄情報に応じてサブ統合制御装置５３が選択した「２１１」を確定表示図柄として表示。この場合、停止図柄予告として表示した左図柄の「５」は、大当りとなる期待度が最も高い最後の演出時に表示される確定図柄を暗示するため「２１１」との関係は見られないが、変動指示信号受信時に抽出した振分乱数２の値によっては左図柄の確定表示が「５」となる場合もある。
【００９９】
図１４（２）ａは、連続した２回目の停止図柄予告演出を示す表示態様例となる。この場合、連続した２回目の予告演出として、停止図柄予告が連続したことを示唆する程度に留めた期待度の低い表示演出を実施する。具体的には、左、右、中の３個の図柄が高速変動を開始すると、高速変動する右図柄に被さるように停止図柄指定情報が示す「５」を半透明（図柄の変動状態が確認可能）で約１．０秒間表示する。尚、（１）ａと順番を逆にして表示してもよい。
【０１００】
図１４（２）ｂは、２回目の停止図柄予告演出が実施された変動表示のハズレを示す確定図柄の表示態様例となる。例では、受信した変動指示信号が示すハズレ図柄情報に応じてサブ統合制御装置５３が選択した「６２８」を確定表示図柄として表示。この場合、停止図柄予告として表示した右図柄の「５」は、大当りとなる期待度が最も高い最後の演出時に表示される確定図柄を暗示するため「６２８」との関係は見られないが、変動指示信号受信時に抽出した振分乱数２の値によっては右図柄の確定表示が「５」となる場合もある。
【０１０１】
図１５（３）ａ１は、連続した３回目の停止図柄予告演出を示す表示態様例となり、停止図柄予告フラグの値が「１」「２」のどちらの場合も出現する図柄停止パターンとなる。この場合、停止図柄予告演出が連続すると最終演出時の変動表示結果がリーチ以上となることを示唆する演出となる。具体的には、左、右、中の３個の図柄が高速変動を開始すると、高速変動する左図柄と右図柄に被さるように停止図柄予告演出の表示態様となる２個の「５」を半透明（図柄の変動状態が確認可能）で約１．０秒間表示する。この場合に表示する２個の「５」も、停止図柄指示情報が示す内容となる。
【０１０２】
尚、図１５（３）ａ１が連続する３回目の停止図柄予告演出で且つ変動開始処理時の連続予告カウンタが「１」だった場合、即ち連続する停止図柄予告演出の最後の演出だった場合は、確定表示は、停止図柄予告フラグの値が「１」ならば図１６（４）ｂ２（大当り報知）を表示し、停止図柄予告フラグの値が「２」ならば図１６（４）ｂ１（リーチ態様後のハズレ報知）を表示する。
【０１０３】
図１５（３）ａ２は、（３）ａ１と同様に、３回目の停止図柄予告演出を示す表示態様例となり、停止図柄予告フラグの値が「１」の場合に限り出現する図柄停止パターンとなる。この場合には、すでに左図柄に「５」の停止を予告（図１４（２）ａ）しているため、最終演出時の変動表示の結果が大当りを暗示する演出となる。具体的には、左、右、中の３個の図柄が高速変動を開始すると、高速変動する右図柄と中図柄に被さるように停止図柄予告演出の表示態様となる２個の「５」を半透明（図柄の変動状態が確認可能）で約１．０秒間表示する。この場合も、表示する２個の「５」は停止図柄指示情報が示す内容となり、高速変動を開始時に左図柄と中図柄に「５」が被さるように表示するパターンの場合もある。
【０１０４】
尚、図１５（３）ａ２が連続する３回目の停止図柄予告演出で且つ変動開始処理時の連続予告カウンタが「１」だった場合、即ち連続する停止図柄予告演出の最後の演出だった場合は、確定表示は、図１６（４）ｂ２（大当り報知）を表示する。
【０１０５】
図１５（３）ｂは、３回目の停止図柄予告演出が実施された変動表示の確定図柄表示時を示す表示態様例となる（３回目が停止図柄停止予告演出の最終演出ではない場合）。例では、受信した変動指示信号が示すハズレ図柄情報に応じてサブ統合制御装置５３が選択した「３７４」を確定表示図柄として表示。この場合も、停止図柄予告として表示した右、中図柄の「５」は、大当りとなる期待度が最も高い最後の演出時に表示される確定図柄を暗示するため「３７４」との関係は見られないが、変動指示信号受信時に抽出した振分乱数２の値によっては左・右・中図柄の何れかの確定表示が「５」となる場合がある。
【０１０６】
図１６（４）ａ１は、４回目（連続予告カウンタ「１」）の停止図柄予告演出、即ち連続する停止図柄予告演出の最終の表示態様例となり、停止図柄予告フラグの値が「１」「２」のどちらの場合も出現する図柄停止パターンとなる。この場合、当該変動において抽選結果がリーチ以上となることを示唆する演出となる。具体的な表示態様は、図１５（３）ａ１と共通の内容となり、この場合に表示する２個の「５」も、停止図柄指示情報が示す内容となる。
【０１０７】
図１６（４）ａ２も、４回目（連続予告カウンタ「１」）となる最後の停止図柄予告演出の表示態様例となり、停止図柄予告フラグの値が「１」の場合に限り出現する図柄停止パターンとなる。この場合は、連続する停止図柄予告演出の最終段階として、当該変動での大当りを示唆する演出となる。具体的には、左、右、中の３個の図柄が高速変動を開始すると、高速変動する左図柄と右図柄と中図柄に被さるように停止図柄予告演出の表示態様となる３個の「５」を半透明（図柄の変動状態が確認可能）で約１．０秒間表示する。この場合も、表示する３個の「５」は停止図柄指示情報が示す内容となる。
【０１０８】
図１６（４）ｂ１は、停止図柄予告フラグが「２」で４回目の停止図柄予告演出が実施された場合の確定図柄表示時を示す表示態様例となる。例では、受信した変動指示信号が示すスーパーリーチとなるハズレ図柄情報に応じてサブ統合制御装置５３が選択した「５１５」を確定表示図柄として表示するが、このリーチ図柄「５」は、先読みコマンド２の受信に応じて設定された停止図柄指定情報が示す内容と共通の図柄となっている。
【０１０９】
図１６（４）ｂ２は、停止図柄予告フラグが「１」で４回目の停止図柄予告演出が実施された場合の確定図柄表示時を示す表示態様例となる。例では、受信した変動指示信号が示す大当りとなる図柄情報に応じてサブ統合制御装置５３が選択した「５５５」を確定表示図柄として表示するが、この大当り図柄「５」は、先読みコマンド１の受信に応じて設定された停止図柄指定情報が示す内容と共通の図柄となっている
【０１１０】
次に、先読み予告フラグの成立に応じて演出図柄表示装置５４ｂで実施される、先読み予告演出の表示態様を図１８を用いて説明する。図１８（１）は、先読み予告フラグの値が「１」の時に実施される場合がある先読み予告演出の表示態様となる。この場合、左、中、右図柄が変動を開始すると、画面いっぱいのキャラクタ（達吉）を演出図柄の変動表示が視認可能な状態で約１．０秒間表示する。この先読み予告演出が実施されたことによって保留記憶の中に大当りが含まれることを告知する予告となる。
【０１１１】
図１８（２）は、先読み予告フラグの値が「１」「２」の時に実施される先読み予告演出の表示態様となる。この場合、左、中、右図柄が変動を開始すると、画面左上と画面右上にキャラクタ（達吉）を一体ずつ約１．０秒間表示する。この先読み予告演出が実施されたことによって保留記憶の中に少なくともリーチ以上（大当りを含む）の結果となるものを含むことを告知する予告となる。
【実施例２】
【０１１２】
次に実施例２について説明する。本実施例に於いて遊技機を構成する部品とその電気的接続は実施例１と共通となる。従って、重複する部分の説明は割愛する。
【０１１３】
本実施例は、請求項３の内容を実施する構成となり、変動指示信号の受信時に停止図柄予告を実施する場合、停止図柄予告フラグの成立時に設定した停止図柄指示情報を参照し、参照した図柄が確率変動（確変）を示唆するものであれば、停止図柄予告の表示態様として図柄「７」（遊技者が最も確率変動をイメージする図柄）を選択する構成となる。この図柄「７」は、本願発明における高確率遊技状態を暗示する所定の表示態様に該当する。
【０１１４】
本実施例が実施例１と異なる部分は、サブ統合制御装置５３が実施する変動指示信号受信処理の一部と、停止図柄予告演出の表示態様となる。その他の説明は実施例１を援用する。
【０１１５】
本実施例においてサブ統合制御装置５３が実施する変動指示信号受信処理２を図１９を用いて説明する。変動指示信号受信処理２の開始からＳ１２４０までの判定処理は、実施例１の変動指示信号受信処理と共通であるため援用とし、Ｓ１２４０が肯定判定なら（Ｓ１２４０：ＹＥＳ）、停止図柄予告フラグの値が「１」か否か判定する（Ｓ１２５０）。肯定判定なら（Ｓ１２５０：ＹＥＳ）、予告連続カウンタの値（１、２、３、４の何れか）と、Ｓ６５０で設定した停止図柄指示情報を参照し（Ｓ１２６０、Ｓ１２７０）、参照した停止図柄指示情報が大当り遊技終了後に確変状態を設定する図柄の種類を示すか否か判定する（Ｓ１２８０）。
【０１１６】
Ｓ１２８０が肯定判定なら（Ｓ１２８０：ＹＥＳ）、確率変動を示唆する表示態様を用いて停止図柄予告演出を実施するために、確変専用停止図柄として「図柄７」を選択する（Ｓ１２９０）。Ｓ１２８０が否定判定なら（Ｓ１２８０：ＮＯ）、Ｓ１２７０の停止図柄指示情報の参照に応じて確変図柄以外の停止図柄を選択する（Ｓ１３００）。
【０１１７】
Ｓ１２９０又はＳ１３００に続いては、停止図柄予告フラグの値「１」と、Ｓ１２６０で参照した予告連続カウンタの値と、Ｓ１２９０又はＳ１３００で選択した停止図柄を基に、停止図柄予告演出として実施する図柄予告パターンを選択し（Ｓ１３３０）、Ｓ１２３０で選択した確定表示を実施する演出図柄と変動態様に、Ｓ１３３０で選択した停止図柄予告演出の図柄予告パターンを組合せ、停止図柄予告演出時の変動態様を設定する（Ｓ１３４０）。
【０１１８】
Ｓ１２５０が否定判定なら（Ｓ１２５０：ＮＯ）、予告連続カウンタの値（１、２、３、４の何れか）と、Ｓ７５０で設定した停止図柄指示情報を参照し（Ｓ１２６０、Ｓ１２７０）、参照した停止図柄指示情報のリーチ図柄が大当り遊技終了後に確変状態を設定する図柄の種類を示すか否か判定する（Ｓ１３１０）。
【０１１９】
Ｓ１３１０が肯定判定なら（Ｓ１３１０：ＹＥＳ）、確変専用停止図柄として「図柄７」を選択する（Ｓ１２９０）。Ｓ１３１０が否定判定なら（Ｓ１３１０：ＮＯ）、Ｓ１２７０の停止図柄指示情報の参照に応じて確変図柄以外の停止図柄を選択する（Ｓ１３２０）。
【０１２０】
Ｓ１２９０又はＳ１３２０に続いては、停止図柄予告フラグの値「２」と、Ｓ１２６０で参照した予告連続カウンタの値と、Ｓ１２９０又はＳ１３２０で選択した停止図柄を基に、停止図柄予告演出として実施する図柄予告パターンを選択し（Ｓ１３３０）、Ｓ１２３０で選択した確定表示を実施する演出図柄と変動態様に、Ｓ１３３０で選択した停止図柄予告演出の図柄予告パターンを組合せ、停止図柄予告演出時の変動態様を設定する（Ｓ１３４０）。
【０１２１】
Ｓ１３４０に続いては、実施例１で説明した図１２に示す処理を実行し、Ｓ１２４０の否定判定（Ｓ１２４０：ＮＯ）に続いては、実施例１で説明した図１３に示す処理を実行する。
【０１２２】
上記した変動指示信号受信処理２によって、先読みコマンド１又は２の受信を基に停止図柄予告演出を実施する場合、該先読みコマンド１又は２に含まれる図柄の種類の情報が確率変動図柄（その時柄で大当りになった場合は大当り遊技終了に確率変動状態となる図柄）を示す場合は、停止図柄予告演出で表示する停止図柄は「図柄７」のみとなる。
【０１２３】
次に、図２０、２１を用いて、実施例２において停止図柄予告フラグの値が「１」の場合にＳ１３４０の設定に応じて演出図柄表示装置５４ｂで連続して実施する停止図柄予告演出の演出態様（図柄予告パターン）の例を連続演出の流れに沿って説明する。停止図柄予告フラグの値が「２」の場合も、停止図柄指示情報が示す図柄の種類が確変図柄を示すなら、停止図柄予告フラグの値が「１」の時と同様の停止図柄予告演出を行うが、大当り確定を示唆する停止図柄の組合せ表示、又は連続して実施したことにより結果的に大当りを示唆（例えば、右図柄と左図柄に「７」を表示した停止図柄予告の後に、右図柄と中図柄に「７」を表示する停止図柄予告を実施）する表示は実施例１の場合と同様に実施しない。
【０１２４】
図２０（１）ａは、停止図柄予告フラグが成立（フラグ値に「１」）し、予告連続カウンタの値に「４」がセットされた場合、即ち停止図柄予告フラグ設定後の１回目の変動開始時を示す表示態様例となる。尚、停止図柄予告フラグの成立に応じて停止図柄指示情報には実施例１と同様に数字の「５」を示す内容が記憶されており、「５」は確率変動図柄である。
【０１２５】
この場合も、複数回の変動表示に亘って連続して実施される停止図柄予告演出の１回目の予告演出として、大当りとなる期待度の最も低い図柄停止パターンを実施するが、停止図柄予告として表示する停止図柄は停止図柄指示情報が示す「５」ではなく、Ｓ１２９０で選択した遊技者に確率変動を最も暗示する「７」となる。具体的な表示内容は、左、右、中の３個の図柄が高速変動を開始すると、高速変動する左図柄に被さるように停止図柄予告演出の表示態様となる確率変動を暗示する「７」を半透明（図柄の変動状態が確認可能）で約１．０秒間表示する。これにより、「７」の表示によって確率変動を暗示させるが、表示個数が１個のため連続した停止図柄予告を開始したことを示唆する程度に留めた演出となる。
【０１２６】
図２０（１）ｂは、１回目の停止図柄予告演出が実施された変動表示の確定図柄表示時を示す表示態様例となる。例では、受信した変動指示信号が示すハズレ図柄情報に応じてサブ統合制御装置５３が選択した「２１１」を確定表示図柄として表示。この場合、停止図柄予告として表示した左図柄の「７」とは異なる確定表示図柄となるが、変動指示信号受信時に抽出した振分乱数２の値によっては左図柄の確定表示が「７」となる場合もある。
【０１２７】
図２０（２）ａは、連続した２回目の停止図柄予告演出を示す表示態様例となる。この場合、連続した２回目の予告演出として、停止図柄予告が連続したことを示唆する程度に留めた期待度の低い表示演出を実施する。具体的には、左、右、中の３個の図柄が高速変動を開始すると、高速変動する右図柄に被さるように停止図柄予告演出の表示態様となる確率変動を暗示する「７」を半透明（図柄の変動状態が確認可能）で約１．０秒間表示する。尚、（１）ａと順番を逆にして表示してもよい。
【０１２８】
図２０（２）ｂは、２回目の停止図柄予告演出が実施された変動表示の確定図柄表示時を示す表示態様例となる。例では、受信した変動指示信号が示すハズレ図柄情報に応じてサブ統合制御装置５３が選択した「６２８」を確定表示図柄として表示。この場合、停止図柄予告として表示した右図柄の「７」とは異なる確定表示図柄となるが、変動指示信号受信時に抽出した振分乱数２の値によっては右図柄の確定表示が「７」となる場合もある。
【０１２９】
図２１（３）ａは、連続した３回目の停止図柄予告演出を示す表示態様例となる。この場合、停止図柄予告演出が連続すると最終演出にあたる変動表示の結果がリーチ以上となることを示唆する演出となる。具体的には、左、右、中の３個の図柄が高速変動を開始すると、高速変動する左図柄と右図柄に被さるように停止図柄予告演出の表示態様となる確率変動を暗示する「７」を半透明（図柄の変動状態が確認可能）で約１．０秒間表示する。このパターンの停止図柄予告演出によって遊技者はさらに確率変動となる大当りを期待する表示となる。
【０１３０】
図２１（３）ｂは、３回目の停止図柄予告演出が実施された変動表示の確定図柄表示時を示す表示態様例となる。例では、受信した変動指示信号が示すハズレ図柄情報に応じてサブ統合制御装置５３が選択した「３７４」を確定表示図柄として表示。この場合、停止図柄予告として表示した左・右図柄の「７」とは異なる確定表示図柄となるが、変動指示信号受信時に抽出した振分乱数２の値によっては左・右・中図柄の何れかの確定表示が「７」となる場合もある。
【０１３１】
図２１（４）ａは、４回目の停止図柄予告演出、即ち連続する停止図柄予告演出の最後の表示態様例となる。この場合は、連続する停止図柄予告演出の最終段階として、当該変動での確変大当りを示唆する演出となる。具体的には、左、右、中の３個の図柄が高速変動を開始すると、高速変動する左図柄と右図柄と中図柄に被さるように停止図柄予告演出の表示態様となる確率変動を暗示する「７」を半透明（図柄の変動状態が確認可能）で約１．０秒間表示する。
【０１３２】
図２１（４）ｂは、４回目の停止図柄予告演出が実施された場合の確定図柄表示時を示す表示態様例となる。例では、受信した変動指示信号が示す大当りとなる図柄情報に応じてサブ統合制御装置５３が選択した確変図柄である「５５５」を確定表示図柄として表示するが、この確変大当り図柄「５」は、先読みコマンド１の受信に応じて設定された停止図柄指定情報が示す内容と共通となる。
【実施例３】
【０１３３】
次に実施例３について説明する。本実施例に於いて遊技機を構成する部品とその電気的接続は実施例１と共通となる。従って、重複する部分の説明は割愛する。
【０１３４】
本実施例は、請求項４の内容を実施する構成となり、停止図柄予告演出の実施中に表示するハズレ報知となる確定表示の内容を、停止図柄指定情報を基にして選択決定する構成となる。
【０１３５】
本実施例が実施例２と異なる部分は、サブ統合制御装置５３が実施する変動指示信号受信処理２の一部と、停止図柄予告演出の表示態様となる。従って、以下にその説明を記し、他の説明は実施例１、２を援用する。
【０１３６】
変動指示信号受信処理３は、図１９を用いて説明した処理と、Ｓ１２４０の否定判定から続く図１３の処理が同一内容となり、Ｓ１３４０から続く図１２の処理において、Ｓ１０１０の否定判定からＳ１０４０の処理の間に、停止図柄指示情報を参照してＳ１２３０で選択したハズレ確定図柄の差換え処理を実施する構成となる。以下に、図１２とは異なる部分を図２２を用いて説明し、同一内容部分については援用とする。
【０１３７】
Ｓ１３４０から続く図２２では、図１２と同様に予告連続カウンタのデクリメント（Ｓ１４００）の後、予告連続カウンタの値が０か否か判定する（Ｓ１４１０）。肯定判定（Ｓ１４１０：ＹＥＳ）から続く処理は図１２と同一のため援用とし、Ｓ１４１０が否定判定なら（Ｓ１４１０：ＮＯ）、先読みコマンド１又は２の受信に応じてＳ６５０又はＳ７５０で設定した停止図柄指示情報を参照して図柄の種類を確認し（Ｓ１４４０）、同一ルーチンのＳ１３３０で選択した図柄停止パターンを参照して停止図柄予告として図柄が停止する位置を確認する（Ｓ１４５０）。次に、確認した二つの内容に応じて差換え用のハズレ図柄を設定し（Ｓ１４６０）、この設定した内容をＳ１２３０で選択した確定表示図柄と差換える処理を行い（Ｓ１４７０）、図１２のＳ１０４０と同一処理となるＳ１４８０に進む。
【０１３８】
上記したＳ１４４０かＳ１４７０までの処理は、予告カウンタの値が０より大きい場合、即ち停止図柄予告演出を連続して実施する期間に、主制御装置５０からの変動指示信号に応じて選択したハズレを報知する確定図柄を、停止図柄予告用に記憶した停止図柄指示情報と図柄停止パターン（停止図柄予告を実施する図柄停止位置）とを参照して差換える処理となる。
【０１３９】
これは例えば、Ｓ６５０又はＳ７５０で設定された停止図柄指定情報の図柄の種類が「５」で、Ｓ１３３０で選択された図柄停止パターンの図柄停止位置が「左図柄のみ」だった場合、左図柄のみに「５」を表示するハズレ図柄を設定し、既に設定済のハズレ確定図柄と差換える処理となる。既に選択済みのハズレ図柄の左図柄のみを「５」に差換える構成も考えられるが、その場合、差換えを行わない右、中図柄に「５」が表示されないか否か確認し、「５」があれば他の図柄に差換える処理を行う。
【０１４０】
次に、図２３、２４を用いて、実施例３において停止図柄予告フラグの値が「１」に設定され、図２０、２１で説明した内容と同一の停止図柄予告演出を実施した場合に、ハズレを報知する確定図柄がどのような確定図柄に差換えられるかを示す演出例を、連続演出の流れに沿って説明する。尚、停止図柄予告フラグの値が「２」の場合も、ハズレを報知する確定図柄は同様に差換えられる。
【０１４１】
図２３（１）ａは、停止図柄予告フラグ設定後の１回目の変動開始時を示す表示態様例となり、演出内容は、図２０（１）ａと同一である。
【０１４２】
図２３（１）ｂは、１回目の停止図柄予告演出が実施された変動表示のハズレ報知の確定図柄表示時を示す表示態様例となる。このときに表示するハズレ図柄の組合せ「５２０」は、Ｓ１４６０、Ｓ１４７０で、停止図柄指示情報が示す「５」と、選択した図柄停止パターンの図柄停止位置（左図柄）とに応じて、左図柄のみに「５」を表示するように差換えられたハズレ図柄である。このハズレ図柄は、左図柄に確変図柄である「５」を表示させることによって、停止図柄予告で左図柄に確変大当りを暗示させる「７」が表示されたことに応じる内容となっている。
【０１４３】
図２３（２）ａは、連続した２回目の停止図柄予告演出を示す表示態様例となり、演出内容は、図２０（２）ａと同一である。
【０１４４】
図２３（２）ｂは、２回目の停止図柄予告演出が実施された変動表示のハズレ報知の確定図柄表示時を示す表示態様例となる。このときに表示するハズレ図柄の組合せ「３８５」は、Ｓ１４６０、Ｓ１４７０で、停止図柄指示情報が示す「５」と、選択した図柄停止パターンの図柄停止位置（右図柄）とに応じて、右図柄のみに「５」を表示するように差換えられたハズレ図柄である。このハズレ図柄は、右図柄に確変図柄である「５」を表示させることによって、停止図柄予告で右図柄に確変大当りを暗示させる「７」が表示されたことに応じる内容となっている。
【０１４５】
図２４（３）ａは、連続した３回目の停止図柄予告演出を示す表示態様例となり、演出内容は、図２１（３）ａと同一である。
【０１４６】
図２４（３）ｂは、３回目の停止図柄予告演出が実施された変動表示のハズレ報知の確定図柄表示時を示す表示態様例となる。このときに表示するハズレ図柄の組合せ「５９５」は、Ｓ１４６０、Ｓ１４７０で、停止図柄指示情報が示す「５」と、選択した図柄停止パターンの図柄停止位置（右、左図柄）とに応じて、右図柄と左図柄に「５」を表示するように差換えられたハズレ図柄である。このハズレ図柄は、右図柄と左図柄に確変図柄である「５」を表示させリーチ態様とすることによって、停止図柄予告で確変大当りを暗示させる「７」がリーチ態様で表示されたことに応じる内容となっている。
【０１４７】
図２４（４）ａは、４回目の停止図柄予告演出、即ち連続する停止図柄予告演出の最後の表示態様例となり、演出内容は、図２１（４）ａと同一である。
【０１４８】
図２４（４）ｂは、４回目の停止図柄予告演出が実施された場合の確定図柄表示時を示す表示態様例となり、演出内容は、図２１（４）ｂと同一となる。
【０１４９】
このように、連続した停止図柄予告の実施時に表示されるハズレ確定図柄に、最も大当りの期待が大きくなる最後の停止図柄予告実施時に確定表示される大当り図柄又はリーチ図柄の一部を、停止図柄指示情報を基にして表示することで、個々の停止図柄予告と確定表示図柄の関係を保持したうえで、大当りの期待度を徐々に増幅させる演出の連続性を更に明確にする効果を発揮する。
【０１５０】
本実施例では、停止図柄予告が実施された場合のハズレとなる確定表示図柄に、停止図柄指示情報が示す図柄を用いたが、該図柄が確率変動図柄（例えば実施例１、２、３で示した「５」）の場合、ハズレとなる確定表示図柄に停止図柄予告の態様とした「７」を使用する構成も考えられる。この構成とする場合、図２２のＳ１４１０の否定判定に続く処理を、図２５に示す構成とすることで実施可能となる。
【０１５１】
具体的には、図２５に示すように、予告連続カウンタの値が０でなければ（Ｓ１５１０：ＮＯ）、停止図柄指示情報の図柄が確変を示す図柄か否か判定し（Ｓ１５４０）、肯定判定なら（Ｓ１５４０：ＹＥＳ）停止図柄予告に対応したハズレ確定表示用の図柄に、確変専用図柄として「７」を選択する（Ｓ１５５０）。否定判定なら（Ｓ１５４０：ＮＯ）、停止図柄指示情報が示す図柄を停止図柄予告に対応したハズレ確定表示用の図柄として選択する（Ｓ１５６０）。Ｓ１５５０又はＳ１５６０に続くＳ１５７０以降の処理は、図２２のＳ１４５０以降の処理と同一であるため援用する。
【０１５２】
以上が実施例の説明となる。実施例１、２、３ともに停止図柄予告を開始すると、複数回の変動表示に亘って大当りの期待できる最終変動表示がどの図柄で停止するかを報知する演出を実施するが、実施例２、３では、該大当りの期待できる変動表示の停止図柄が確率変動図柄か否かまで把握した上で、それに応じた停止図柄態様で連続した停止図柄予告を実施することが可能な構成となっている。
【０１５３】
更に、実施例３では、大当りの期待できる変動以前に表示される毎回のハズレ確定図柄も、大当りの期待できる変動表示の停止図柄に応じた表示することが可能な構成となっている。
【産業上の利用可能性】
【０１５４】
以上のように、本発明の停止図柄予告演出を搭載した弾球遊技機によれば、始動入賞時の先読み判定の結果に応じてサブ制御装置において停止図柄予告フラグの値を設定するとともに連続した停止図柄予告演出を開始することにより、連続した演出結果は、当否判定結果となる確定表示に対して最も好適な停止図柄予告演出を実施することが可能となる。従って先読み判定機能を備え、サブ制御装置で演出図柄の制御を実施する弾球遊技機に適用することができる。
【符号の説明】
【０１５５】
８      遊技盤
２９    第１特別図柄表示装置
３０    第２特別図柄表示装置
３１    第１始動口
３２    第２始動口
４０    普通電動役物
５０    主制御装置
５３    サブ統合制御装置
５４ａ  演出図柄制御装置
５４ｂ  演出図柄表示装置
【図１】
0005625149.tif 000002
【図２】
0005625149.tif 000003
【図３】
0005625149.tif 000004
【図４】
0005625149.tif 000005
【図５】
0005625149.tif 000006
【図６】
0005625149.tif 000007
【図７】
0005625149.tif 000008
【図８】
0005625149.tif 000009
【図９】
0005625149.tif 000010
【図１０】
0005625149.tif 000011
【図１１】
0005625149.tif 000012
【図１２】
0005625149.tif 000013
【図１３】
0005625149.tif 000014
【図１４】
0005625149.tif 000015
【図１５】
0005625149.tif 000016
【図１６】
0005625149.tif 000017
【図１７】
0005625149.tif 000018
【図１８】
0005625149.tif 000019
【図１９】
0005625149.tif 000020
【図２０】
0005625149.tif 000021
【図２１】
0005625149.tif 000022
【図２２】
0005625149.tif 000023
【図２３】
0005625149.tif 000024
【図２４】
0005625149.tif 000025
【図２５】
0005625149.tif 000026